(57)【要約】【課題】  ボールタップ本体に洗浄水を供給する給水管路内に配置したストレーナの清掃、取り替えのために給水路から取り外す際にストレーナに堆積した異物、ごみなどが給水管路内へ落下を防止することができ、ボールタップの止水不良の可能性や、ストレーナの清掃、取り替えの頻度を少なくできるボールタップを提供する。【解決手段】  筒状のストレーナを内装した給水管路部と、前記ストレーナを通過した洗浄水が供給されるボールタップ本体とを備えたボールタップであって、前記給水管路部は、給水配管を接続する流入口と、この流入口の開口軸線と同軸線上で上方位置に開口され前記ストレーナを上方から出し入れするためのストレーナ挿入口と、前記ボールタップ本体の一次側と連絡する流出口と、前記ストレーナ挿入口を塞ぐための蓋と、を有し、前記ストレーナはその入口側に周縁が全周に亘って内側に折り曲がった折り返し部を設けた。【選択図】  図１
2005214277.tif 000002
【特許請求の範囲】
【請求項１】
筒状のストレーナを内装した給水管路部と、前記ストレーナを通過した洗浄水が供給されるボールタップ本体とを備えたボールタップであって、
前記給水管路部は、給水配管を接続する流入口と、この流入口の開口軸線と同軸線上で上方位置に開口され前記ストレーナを上方から出し入れするためのストレーナ挿入口と、前記ボールタップ本体の一次側と連絡する流出口と、前記ストレーナ挿入口を塞ぐための蓋と、を有し、
前記ストレーナはその入口側に周縁が全周に亘って内側に折り曲がった折り返し部を設けていることを特徴とするボールタップ。
【請求項２】
前記給水管路部は、その内部に前記流入口と前記ストレーナの入口側との間に定流量弁を配設していることを特徴とする請求項１記載のボールタップ。
【発明の詳細な説明】
【技術分野】
【０００１】
本発明は、水洗便器等の洗浄水タンクに用いられるボールタップに関する。 
【背景技術】
【０００２】
従来、ボールタップ本体に洗浄水を給水する場合、洗浄水内に異物やごみ等が洗浄水タンク内に流入するのを防止するために、ボールタップ本体の一次側に連絡するボールタップ用継手内に筒状の両端が開口した開口部を有するストレーナを縦方向に配置して、このストレーナで異物やごみを補足している（例えば、特許文献１を参照）。
【０００３】
特許文献１においては、ストレーナの清掃、取り替えを行う際、上方の蓋を外してストレーナを上方向に抜き取っている。ストレーナを抜き取る際に前記ボールタップ用継手本体の流入口側にストレーナの下方側の開口部から堆積していた異物、ごみの一部が落下して流入口に接続された給水管内に混入したり、ボールタップ本体内に流入する可能性があった。そして、清掃後のストレーナ、または新しいストレーナをボールタップ用継手内に配置した後、給水管からボールタップ本体に洗浄水を供給すると、給水管内に混入した異物、ごみが再びストレーナに堆積していた。そのためストレーナの清掃、取り替えを頻繁に行う必要があった。また、ボールタップ本体内に流入したごみは、シート部に噛みこんで止水不良となる可能性があった。
【０００４】
【特許文献１】実開昭６１−９３６９３号公報
【発明の開示】
【発明が解決しようとする課題】
【０００５】
本発明は、上記問題を解決するためになされたもので、ボールタップ本体に洗浄水を供給する給水管路内に配置したストレーナの清掃、取り替えのために給水路から取り外す際にストレーナに堆積した異物、ごみなどが給水管路内へ落下を防止することができ、ストレーナの清掃、取り替えの頻度を少なくし、ボールタップの止水不良を防止できるボールタップを提供することを目的とする。
【課題を解決するための手段】
【０００６】
上記目的を達成するために、請求項１記載の本発明は、筒状のストレーナを内蔵した給水管路部と、前記ストレーナを通過した洗浄水が供給されるボールタップ本体とを備えたボールタップであって、前記給水管路部は、給水配管を接続する流入口と、この流入口の開口軸線と同軸線上で上方位置に開口され前記ストレーナを上方から出し入れするためのストレーナ挿入口と、前記ボールタップ本体の一次側と連絡する流出口と、前記ストレーナ挿入口を塞ぐための蓋と、を有し、前記ストレーナはその入口側に周縁が全周に亘って内側に折れ曲がった折り返し部を設けていることを特徴とする。
【０００７】
このように構成された本発明においては、前記蓋を取り外し、ストレーナをストレーナ挿入口から上方向に引き抜くようにして給水管路部から取り外される。その際、ストレーナの内側に堆積した異物、ごみの一部が剥離して落下した場合、前記折り返し部によって捕捉される。
【０００８】
また、本発明において、好ましくは、前記給水管路部はその内部に、前記流入口と前記ストレーナの入口側との間に定流量弁を配設する。なお、定流量弁は水圧が低い場合や大きなごみが定流量弁に噛み込んだ場合の掃除のために、ストレーナに嵌合で取り付けられた定流量弁押さえを外すことによって、取り出すことができるよう構成にしている。
【０００９】
このように構成された本発明においては、定流量弁が給水管路部内に配設するためボールタップの小型化が図れると共に、給水源の水圧が変動してもボールタップ本体に安定した流量の洗浄水が供給される。
【発明の効果】
【００１０】
本発明によれば、ボールタップ本体に洗浄水を供給する給水管路内に配置したストレーナの清掃、取り替えの頻度を少なくし、ボールタップの止水不良も防止できるという効果がある。
【発明を実施するための最良の形態】
【００１１】
添付図面に基づいて、本発明の実施形態のボールタップについて説明する。図１はボールタップの部分断面図、図２は図１に示す給水管路部の構成を説明するための分解図である。
【００１２】
１はボールタップ、２はボールタップ本体、３は給水管路部である。
給水管路部３は上下方向に配置した直線状の第一管路４、第一管路４と直交する方向に突出した第二管路５を有し、第一管路４と第二管路５とが連通している。
【００１３】
第一管路４は、その下方側に給水配管１４と接続する流入口６、上方側に後述する筒状のストレーナ８を上方から挿入、取り出しを行うためのストレーナ挿入口７を設けている。また、第一管路４の内部には、流入口６側からパッキン１１、定流量弁押さえ１０、定流量弁９、ストレーナ８の配置で内装している。ストレーナ挿入口７はストレーナ８を挿入後、螺合によって取り外し可能な蓋１２で閉塞している。蓋１２は後述するストレーナ筐体８ｂの上端部８ｆを押圧するストレーナ押さえ部１２ａを設けている。
【００１４】
第二管路５の流出口１３は、ボールタップ本体２の一次側と接続している。ボールタップ本体２にはフロート２ａの上下動作によって開閉操作を行う開閉弁を備えている。
【００１５】
次に、ストレーナ８について説明する。合成樹脂で成形した両端が開放した筒状のストレーナ筐体８ｂの外周壁に所定の間隔で長孔状の開口部８ｅを複数穿設して、開口部８ｅに所定メッシュ数のフィルター８ａを一体的に取り付けている。開口部８ｅは、ストレーナ８を給水管路３の第一管路４に内装した状態で、第一管路４と第２管路５との連絡部１５の開口全体と重畳する位置に配設している。また、第一管路４の流入口６側に対向するストレーナ筐体８ｂの入口側には定流量弁９を嵌装する嵌装部８ｇを設けている。
そして、嵌装部８ｇの下流側で内側にストレーナ筐体８ｂと同心円状に折れ曲がった折り返し部８ｃを一体成形し、ストレーナ筐体８ｂの内側と折り返し部８ｃとの間に環状の凹部８ｄを形成している。
【００１６】
次に、ストレーナ８を清掃する場合の操作について説明する。先ず、蓋１２を回動してストレーナ挿入口７から取り外す。その際、ストレーナ８は蓋１２とともにを定流量弁９を装着した状態で上方に引き上げて第一管路４から取り出し、蓋１２に螺合によって取り付けられたフィルター８を緩めて取り外し、フィルター８ａ、ストレーナ筐体８ｂ、定流量弁９に付着した異物、ごみなどを除去する。
【００１７】
ストレーナ８を引き上げる途中でフィルター８ａに堆積した異物・ごみの一部が剥離して落下した場合、落下した異物・ごみは凹部８ｄに落ち込んで捕捉される。その結果、落下した異物・ごみが第一管路４内や第二管路５内に混入することが軽減される。
【００１８】
ストレーナ８の清掃終了後、蓋１２にストレーナ８を螺合により取り付け、定流量弁９側を下方にしてストレーナ挿入口７から第一管路４内に挿入する。その後、蓋１２を螺合してストレーナ挿入口７を塞ぐと共に、蓋１２のストレーナ押さえ部１２ａを介してストレーナ８を下方に押圧し、固定する。
【００１９】
上記実施の形態においては、第一管路４が略垂直状で第二管路５が第一管路４に対して直交した状態で連絡しているが、第一管路４が若干傾斜して斜め上方にストレーナ８を引き上げる構成としても、落下した異物・ごみを凹部８ｄで捕捉することができる。
【図面の簡単な説明】
【００２０】
【図１】本発明の実施の形態に係るボールタップの部分断面図。
【図２】図１に示す給水管路部の構成を説明するための分解図。
【符号の説明】
【００２１】
１…ボールタップ
２…ボールタップ本体
３…給水管路部
４…第一管路
５…第二管路
６…流入口
７…ストレーナ挿入口
８…ストレーナ
８ａ…フィルター
８ｂ…ストレーナ筐体
８ｃ…折り返し部
８ｄ…凹部
８ｅ…長孔状の開口部
９…定流量弁
１０…定流量弁押さえ
１１…パッキン
１２…蓋
１３…流出口
１４…給水配管
１５…連絡部
【図１】
2005214277.tif 000003
【図２】
2005214277.tif 000004